【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
タッチパネルと、
前記タッチパネルを入力手段とする情報処理手段と、
前記タッチパネルに載置される薄板状の媒体と、を備える情報入力システムであって、
前記情報処理手段は、
指またはスタイラスペンによる前記媒体の所定の位置へのタッチ位置から形成されるタッチパターンまたは、該タッチ位置およびタッチした順番を含み形成されるタッチパターンから定義される、該媒体のコード情報、載置位置、および載置方向の少なくともいずれかの媒体情報を認識する、情報入力システム。
【請求項２】
タッチパネルと、
前記タッチパネルを入力手段とする情報処理手段と、
前記タッチパネルに載置される薄板状の媒体と、を備える情報入力システムであって、
前記情報処理手段は、
前記媒体面にテキストおよび／またはイメージが指またはスタイラスペンで描画されることにより、前記テキストおよび／または前記イメージから定義される、該媒体のコード情報、載置位置、および載置方向の少なくともいずれかの媒体情報を認識する、情報入力システム。
【請求項３】
前記情報処理手段は、さらに、指またはスタイラスペンが前記媒体面を、タッチおよび／または滑動するタッチ操作によりタッチした位置を特定するための、当該タッチパネルの座標系における座標値を認識する、請求項１または２記載の情報入力システム。
【請求項４】
前記情報処理手段は、前記タッチパネルの座標系における座標値を、前記媒体情報に基づき前記媒体面におけるタッチ位置を特定するための、該媒体面の座標系における座標値に変換する、請求項３記載の情報入力システム。
【請求項５】
前記情報処理手段は、
さらに、前記媒体の座標系における座標値と対応付けられた操作指示に基づく処理を、当該対応付けを記憶した記憶手段を参照して実行する、請求項４記載の情報入力システム。
【請求項６】
前記操作指示は、前記媒体面を滑動した文字や図形で認識される、請求項５記載の情報入力システム。
【請求項７】
前記媒体は、該媒体面へのタッチまたは描画を誘導するテキストおよび／またはイメージ、もしくは手書き入力領域が印刷されている、請求項１または２記載の情報入力システム。
【請求項８】
前記情報処理手段は、記憶手段を参照することにより、前記コード情報と関連付けられた前記媒体の形状および大きさを復号する、請求項１または２記載の情報入力システム。
【請求項９】
前記タッチパターンは、少なくとも２つの前記所定の位置または該所定の位置を示す少なくとも２つのマークが所定の順番でタッチされることにより形成される、請求項１記載の情報入力システム。
【請求項１０】
前記タッチパターンは、少なくとも３つの前記所定の位置または該所定の位置を示す少なくとも３つのマークがタッチされることにより形成される、請求項１記載の情報入力システム。
【請求項１１】
前記情報処理手段は、
前記所定の位置または前記マークが最初にタッチされた時間を基準とし、次に前記所定の位置または前記マークをタッチするまでの経過時間を計測し、該経過時間、または該経過時間と前記タッチパターンとの組み合わせにより、前記媒体のコード情報を認識する、請求項９または１０に記載の情報入力システム。
【請求項１２】
前記媒体情報の認識は前記媒体のユーザー認証を兼ねる、請求項１〜１１のいずれかに記載の情報入力システム。
【請求項１３】
前記マークは、媒体面に印刷された数字、文字、記号、アイコン等のテキストおよび／またはイメージである、請求項９または１０に記載の情報入力システム。
【請求項１４】
前記所定の位置は、前記媒体の角部近傍の位置または前記媒体の外縁部近傍の位置である、請求項１、９または１０のいずれかに記載の情報入力システム。
【請求項１５】
前記所定の位置は、媒体面に設けられた孔部および／または切り欠き部により示される位置である、請求項１、９または１０に記載の情報入力システム。
【請求項１６】
前記媒体の載置面には、滑り止めまたは粘着剤が設けられている、請求項１〜１５のいずれかに記載の情報入力システム。
【請求項１７】
前記媒体の形状はカード状またはコイン状である、請求項１〜１６のいずれかに記載の情報入力システム。
【請求項１８】
前記情報処理手段は、
さらに、前記媒体情報と対応付けられたアプリケーションおよび／またはコンテンツを起動させ、前記媒体面をタッチおよび／または滑動するタッチ操作で該アプリケーションおよび／またはコンテンツの実行を制御する、請求項１〜１７のいずれかに記載の情報入力システム。
【請求項１９】
前記情報入力システムは、
さらに、情報処理装置を備え、
前記媒体情報と対応付けられたアプリケーションおよび／またはコンテンツを該情報処理装置において起動させ、前記媒体面をタッチおよび／または滑動するタッチ操作で該アプリケーションおよび／またはコンテンツの実行を制御する請求項１〜１８のいずれかに記載の情報入力システム。
【請求項２０】
前記媒体は、前記タッチパネルに対面する面または媒体内部の所定位置に導電体を備え、
前記情報処理手段は、前記導電体の個数と配置位置、または各導電体の静電容量の大きさの違いを感知することにより、前記媒体情報を認識する、請求項１〜１９のいずれかに記載の情報入力システム。
【請求項２１】
前記媒体は、指またはスタイラスペンによりタッチされるタッチ層と、前記導電体と電気的に接続された線状の導電体と、を有する請求項２０記載の情報入力システム。
【請求項２２】
前記導電体は、前記タッチパネル表面上または該タッチパネル表面に載置された前記媒体面上をタッチした指またはスタイラスペンと異なる静電容量特性を有し、
前記情報処理手段はそれらを判別する請求項２０または２１に記載の情報入力システム。
【請求項２３】
タッチパネルと、
前記タッチパネルを入力手段とする情報処理手段と、
前記タッチパネルに載置される薄板状の媒体と、を備える情報入力システムであって、
前記情報処理手段は、
前記媒体の所定位置に設けられ、コード情報が記録されたＲＦＩＤと、前記タッチパネルに設けられ、該ＲＦＩＤに記録された情報を読み取るＲＦＩＤリーダーと、により前記コード情報を認識する、情報入力システム。
【請求項２４】
タッチパネルと、
前記タッチパネルを入力手段とする情報処理手段と、
前記タッチパネルに載置される薄板状の媒体と、
前記タッチパネルの操作面の画像を撮像する光学読み取り手段と、
前記撮像画像を解析する解析手段と、を備え、
前記情報処理手段は、前記タッチパネルに載置した前記媒体の輪郭による形状・大きさ・載置位置を認識し、および／または該媒体面上に印刷された画像を前記解析手段に解析させることにより、コード情報を認識する、情報入力システム。
【請求項２５】
前記媒体には、所定のアルゴリズムに基づいて前記コード情報が定義された、所定の波長光で読み取ることができるドットパターンが印刷されており、
前記情報処理手段は、
前記光学読み取り手段に前記所定の波長光のみを撮像させて前記ドットパターンを読み取らせ、
前記解析手段に前記ドットパターンを解析させて、前記コード情報を認識する請求項２４記載の情報入力システム。
【請求項２６】
タッチパネルを備える情報処理手段に実行させるプログラムであって、
前記タッチパネルには薄板状の媒体が載置されるものとし、
指またはスタイラスペンによる前記媒体の所定の位置へのタッチ位置から形成されるタッチパターンまたは、該タッチ位置およびタッチした順番を含み形成されるタッチパターンから定義される、該媒体のコード情報、載置位置、および載置方向の少なくともいずれかの媒体情報を認識することを情報処理手段に実行させるプログラム。
【請求項２７】
タッチパネルを備える情報処理手段に実行させるプログラムであって、
前記タッチパネルには薄板状の媒体が載置されるものとし、
前記媒体面にテキストおよび／またはイメージが描画されることにより、前記テキストおよび／または前記イメージから定義される、前記媒体のコード情報、載置位置、および載置方向の少なくともいずれかの媒体情報を認識することを情報処理手段に実行させるプログラム。
【請求項２８】
タッチパネルに載置される媒体であって、
前記タッチパネルにおける、指またはスタイラスペンによる該媒体の所定の位置へのタッチ位置から形成されるタッチパターンまたは、該タッチ位置およびタッチした順番を含み形成されるタッチパターンから定義される、前記媒体のコード情報、載置位置、および載置方向の少なくともいずれかの媒体情報を情報処理手段が認識するための操作を指示するイメージおよび／またはテキストが印刷されている、媒体。
【請求項２９】
タッチパネルに載置される媒体であって、
前記タッチパネルにおける、ユーザーがテキストおよび／またはイメージを描画することにより、前記テキストおよび／または前記イメージから定義される、前記媒体のコード情報、載置位置、および載置方向の少なくともいずれかの媒体情報を情報処理手段が認識するための操作を指示するイメージおよび／またはテキストが印刷されている、媒体。
【請求項３０】
前記媒体は、アルミ箔または導電紙であることを特徴とする請求項２８または２９に記載の媒体。
【請求項３１】
前記媒体は、カーボンが含有されていることを特徴とする請求項２８または２９に記載の媒体。
【請求項３２】
前記媒体は、導電糸を織って形成されていることを特徴とする請求項２８または２９に記載の媒体。